(57)【要約】【課題】様々な機器と連携し、高いセキュリティ機能を備えた金庫管理システムを提供する。【解決手段】ネットワークを介して相互に通信可能な金庫Ｋと装置とを備え、金庫Ｋはその扉を開錠施錠する電気錠と、複数段階存在するセキュリティレベルを記憶する記憶手段と、電気錠の開錠および施錠をセキュリティレベルに応じて制御する電気錠制御手段と、記憶手段に記憶されたセキュリティレベルのうち一つのセキュリティレベルを選択しこの一つのセキュリティレベルを電気錠制御手段に設定する設定手段と、を備え、装置は異常を検知する異常検知手段を備え、装置は異常検知手段により異常を検知すれば異常検知情報を金庫Ｋに送信し、金庫Ｋは装置から異常検知情報を受信すれば設定手段が記憶手段から現状のセキュリティレベルより高いセキュリティレベルを選択して電気錠制御手段に設定し、電気錠制御手段はこのセキュリティレベルで電気錠を制御するようにした。【選択図】図１
2010196305.tif 000002
【特許請求の範囲】
【請求項１】
ネットワークを介して相互に通信可能な金庫と装置とを備え、
金庫は、その扉を開錠、施錠する電気錠と、複数段階存在するセキュリティレベルを記憶する記憶手段と、電気錠の開錠および施錠をセキュリティレベルに応じて制御する電気錠制御手段と、記憶手段に記憶されたセキュリティレベルのうち一つのセキュリティレベルを選択し、この一つのセキュリティレベルを電気錠制御手段に設定する設定手段と、装置と通信を行う第１の通信手段と、を備え、
装置は、金庫と通信を行う第２の通信手段と、異常を検知する異常検知手段と、を備え、
装置は異常検知手段により異常を検知すれば、第２の通信手段を用いて異常検知情報を金庫に送信し、
金庫は第１の通信手段により装置から異常検知情報を受信すれば、設定手段が記憶手段から現状のセキュリティレベルより高いセキュリティレベルを選択して、電気錠制御手段に設定し、電気錠制御手段はこのセキュリティレベルで電気錠を制御することを特徴とした金庫管理システム。
【請求項２】
異常検知手段は、宅内の人の不在を検知するものであり、装置は宅内の人の不在を検知した場合に、第２の通信手段により、金庫に異常検知情報を送信することを特徴とした請求項１記載の金庫管理システム。
【請求項３】
金庫と通信を行う第３の通信手段と報知手段とを有する報知装置を備え、
金庫は、異常を検知する金庫異常検知手段を備え、異常を検知した場合に、第１の通信手段を用いて異常検知情報を報知装置に送信し、
報知装置は、第３の通信手段を用いて異常検知情報を受信すれば、報知手段により報知することを特徴とした請求項１又は２記載の金庫管理システム。
【請求項４】
金庫異常検知手段は、金庫の移動を検出する移動検知手段であり、金庫が所定位置から移動されたことを検知した場合に、前記第１の通信手段により、報知装置へ異常検知情報を送信することを特徴とした請求項３記載の金庫管理システム。
【請求項５】
金庫はデジタルデータを記憶するデータ記憶手段と、データ記憶手段に記憶されたデータへのアクセスを認証情報とセキュリティレベルとに応じて制御するデータ制御手段と、を備え、前記設定手段は、前記記憶手段に記憶されたセキュリティレベルを前記電気錠制御手段に設定するのと同様に、データ制御手段にも設定するものであり、
金庫と通信を行う第４の通信手段と、認証情報を生成し第４の通信手段を用いて前記金庫のデータ制御手段に認証情報を送信し認証確認を行う認証手段と、認証手段を用いて認証確認を行いデータ記憶手段にアクセスしデータを取得しこのデータを表示手段に表示する制御手段と、を有する表示装置を備えることを特徴とした請求項１乃至４のいずれか一項に記載の金庫管理システム。
【請求項６】
セキュリティレベル変更情報を生成する生成手段と、このセキュリティレベル変更情報を金庫に送信する第５の通信手段とを有する、端末装置を備え、
金庫は第１の通信手段により端末装置からセキュリティレベル変更情報を受信すれば、設定手段が前記セキュリティレベル変更情報に基づき記憶手段から一つのセキュリティレベルを選択して、電気錠制御手段に設定し、電気錠制御手段は電気錠をこのセキュリティレベルで制御することを特徴とした請求項１乃至５のいずれか一項に記載の金庫管理システム。
【発明の詳細な説明】
【技術分野】
【０００１】
本願発明は、金庫管理システムに関するものである。
【背景技術】
【０００２】
近年、生体認証機能などの機能が設けられた金庫が開発され、金庫のセキュリティ機能が高まっている。
【０００３】
なお、特開２００４−６２５９７号公報（特許文献１）には自動貨幣取扱装置に設けられた金庫を監視装置にて管理する金庫管理システムが開示されているが、この発明の主眼は、監視装置において金庫の所在位置、収納金額、を取得することで金庫の位置管理を行うことであり、本願発明とは全く異なるものである。
【先行技術文献】
【特許文献】
【０００４】
【特許文献１】特開平９−２９３１８１号公報
【発明の概要】
【発明が解決しようとする課題】
【０００５】
ところで、上記従来例である生態認証機能などのセキュリティ機能が設けられた金庫であっても、金庫そのものだけでセキュリティ機能を実現するには限界があった。
【０００６】
本願発明は、上記背景技術に鑑みて発明されたものであり、その課題は、様々な機器と連携し、さらなるセキュリティ機能を備えた金庫管理システムを提供することである。
【課題を解決するための手段】
【０００７】
上記課題を解決するために、本願請求項１記載の発明では、ネットワークを介して相互に通信可能な金庫と装置とを備え、金庫は、その扉を開錠、施錠する電気錠と、複数段階存在するセキュリティレベルを記憶する記憶手段と、電気錠の開錠および施錠をセキュリティレベルに応じて制御する電気錠制御手段と、記憶手段に記憶されたセキュリティレベルのうち一つのセキュリティレベルを選択し、この一つのセキュリティレベルを電気錠制御手段に設定する設定手段と、装置と通信を行う第１の通信手段と、を備え、装置は金庫と通信を行う第２の通信手段と、異常を検知する異常検知手段と、を備え、装置は異常検知手段により異常を検知すれば、第２の通信手段を用いて異常検知情報を金庫に送信し、金庫は第１の通信手段により装置から異常検知情報を受信すれば、設定手段が記憶手段から現状のセキュリティレベルより高いセキュリティレベルを選択して、電気錠制御手段に設定し、電気錠制御手段はこのセキュリティレベルで電気錠を制御することを特徴とした。
【０００８】
又、本願請求項２記載の発明では、上記請求項１記載の金庫管理システムにおいて、異常検知手段は、宅内の人の不在を検知するものであり、装置は宅内の人の不在を検知した場合に、第２の通信手段により、金庫に異常検知情報を送信することを特徴とした。
【０００９】
又、本願請求項３記載の発明では、上記請求項１又は２記載の金庫管理システムにおいて、金庫と通信を行う第３の通信手段と報知手段とを有する報知装置を備え、金庫は、異常を検知する金庫異常検知手段を備え、異常を検知した場合に、第１の通信手段を用いて異常検知情報を報知装置に送信し、報知装置は、第３の通信手段を用いて異常検知情報を受信すれば、報知手段により報知することを特徴とした。
【００１０】
又、本願請求項４記載の発明では、上記請求項３記載の金庫管理システムにおいて、金庫異常検知手段は、金庫の移動を検出する移動検知手段であり、金庫が所定位置から移動されたことを検知した場合に、前記第１の通信手段により、報知装置へ異常検知情報を送信することを特徴とした。
【００１１】
又、本願請求項５記載の発明では、上記請求項１乃至４のいずれか一項に記載の金庫管理システムにおいて、金庫はデジタルデータを記憶するデータ記憶手段と、データ記憶手段に記憶されたデータへのアクセスを認証情報とセキュリティレベルとに応じて制御するデータ制御手段と、を備え、前記設定手段は、前記記憶手段に記憶されたセキュリティレベルを前記電気錠制御手段に設定するのと同様に、データ制御手段にも設定するものであり、金庫と通信を行う第４の通信手段と、認証情報を生成し第４の通信手段を用いて前記金庫のデータ制御手段に認証情報を送信し認証確認を行う認証手段と、認証手段を用いて認証確認を行いデータ記憶手段にアクセスしデータを取得しこのデータを表示手段に表示する制御手段と、を有する表示装置を備えることを特徴とした。
【００１２】
又、本願請求項６記載の発明では、上記請求項１乃至５のいずれか一項に記載の金庫管理システムにおいて、セキュリティレベル変更情報を生成する生成手段と、このセキュリティレベル変更情報を金庫に送信する第５の通信手段とを有する、端末装置を備え、金庫は第１の通信手段により端末装置からセキュリティレベル変更情報を受信すれば、設定手段が前記セキュリティレベル変更情報に基づき記憶手段から一つのセキュリティレベルを選択して、電気錠制御手段に設定し、電気錠制御手段は電気錠をこのセキュリティレベルで制御することを特徴とした。
【発明の効果】
【００１３】
本願請求項１記載の発明の金庫管理システムにおいては、装置は、金庫と通信を行う第２の通信手段と、異常を検知する異常検知手段と、を備え、装置は異常検知手段により異常を検知すれば、第２の通信手段を用いて異常検知情報を金庫に送信し、金庫は第１の通信手段により装置から異常検知情報を受信すれば、設定手段が記憶手段から現状のセキュリティレベルより高いセキュリティレベルを選択して、電気錠制御手段に設定し、電気錠制御手段はこのセキュリティレベルで電気錠を制御するので、金庫は、装置が検知した異常検知情報によって、セキュリティレベルを変更可能であり、装置を含めた金庫管理システム全体でセキュリティレベルを管理することにより、金庫のセキュリティ性を高めることができる。
【００１４】
又、本願請求項２記載の発明の金庫管理システムにおいては、特に、異常検知手段は、宅内の人の不在を検知するものであり、装置は宅内の人の不在を検知すれば、金庫に異常検知情報を送信するので、人の在・不在によりセキュリティレベルを変更することが可能であり、状況に応じてセキュリティレベルを変更することで、金庫のセキュリティ性を高めることができる。
又、本願請求項３記載の発明の金庫管理システムにおいては、特に、金庫と通信を行う第３の通信手段と報知手段とを有する報知装置を備え、金庫は、異常を検知する金庫異常検知手段を備え、異常を検知した場合に、第１の通信手段を用いて異常検知情報を報知装置に送信し、報知装置は、第３の通信手段を用いて異常検知情報を受信すれば、報知手段により報知するので、金庫に異常が検知された場合に、家人に異常を報知することができる。
又、本願請求項４記載の発明の金庫管理システムにおいては、特に、金庫異常検知手段は、金庫の移動を検出する移動検知手段であり、金庫が所定位置から移動されたことを検知した場合に、前記第１の通信手段により、報知装置へ異常検知情報を送信するので、金庫が移動検知手段により所定位置から移動されたことを検知した場合に、家人に異常を報知することができる。
又、本願請求項５記載の発明の金庫管理システムにおいては、特に、金庫はデジタルデータを記憶するデータ記憶手段と、データ記憶手段に記憶されたデータへのアクセスを認証情報とセキュリティレベルとに応じて制御するデータ制御手段と、を備え、前記設定手段は、前記記憶手段に記憶されたセキュリティレベルを前記電気錠制御手段に設定するのと同様に、データ制御手段にも設定するものであり、金庫と通信を行う第４の通信手段と、認証情報を生成し第４の通信手段を用いて前記金庫のデータ制御手段に認証情報を送信し認証確認を行う認証手段と、認証手段を用いて認証確認を行いデータ記憶手段にアクセスしデータを取得しこのデータを表示手段に表示する制御手段と、を有する表示装置を備えるので、金庫は、装置が検知した異常検知情報によって、電気錠制御手段およびデータ制御手段のセキュリティレベルを変更可能であり、装置を含めた金庫管理システム全体でセキュリティレベルを管理することにより、電気錠およびデータ記憶手段のセキュリティ性を高めることができる。
又、本願請求項６記載の発明の金庫管理システムにおいては、特に、セキュリティレベル変更情報を生成する生成手段と、このセキュリティレベル変更情報を金庫に送信する第５の通信手段とを有する、端末装置を備え、金庫は第１の通信手段により端末装置からセキュリティレベル変更情報を受信すれば、設定手段が前記セキュリティレベル変更情報に基づき記憶手段から一つのセキュリティレベルを選択して、電気錠制御手段に設定し、電気錠制御手段は電気錠をこのセキュリティレベルで制御するので、端末装置を携帯しておれば、常時セキュリティレベルを変更することができ、金庫のセキュリティ性の高めることができる。
【図面の簡単な説明】
【００１５】
【図１】本実施形態の金庫管理システムのシステム構成図である。
【図２】同上システムにおけるセキュリティコントローラのブロック図である。
【図３】同上システムにおける金庫のブロック図である。
【発明を実施するための形態】
【００１６】
本実施形態の金庫管理システムは、図１に示すように、住宅内に設置された装置（セキュリティコントローラＣ）がセキュリティ機器Ｙ１、Ｙ２の制御および監視を行うサブシステムＳＳと、サブシステムＳＳのセキュリティコントローラＣと伝送路（ＬＡＮケーブル）を介して接続されるインターネット接続装置ＭＤと、インターネット接続装置ＭＤにＬＡＮケーブルを介して接続されるネットワーク機能を備える金庫Ｋと、インターネット接続装置ＭＤにＬＡＮケーブルを介して接続される表示装置（パーソナル・コンピュータＰＣおよびテレビＴＶ）と、インターネット接続装置ＭＤにＬＡＮケーブルを介して接続される報知装置（パーソナル・コンピュータＰＣおよびテレビＴＶ）と、を備え、これら装置とインターネット接続装置ＭＤと金庫Ｋと表示装置と報知装置とが汎用のプロトコル（ＴＣＰ／ＩＰ、ＵＤＰなど）を利用した宅内ネットワークを構成している。この宅内ネットワークはローカルネットワークであって、ハブ機能を備えるインターネット接続装置ＭＤにネットワーク端末に相当するセキュリティコントローラＣや金庫Ｋやパーソナル・コンピュータＰＣやテレビＴＶが接続されている。ここで、インターネット接続装置ＭＤはインターネットに接続するための回線の種類（電話回線、ＣＡＴＶ回線、光ファイバ回線など）に応じてＡＤＳＬモデムやケーブルモデムあるいはＯＮＵ（Ｏｐｔｉｃａｌ  Ｎｅｔｗｏｒｋ  Ｕｎｉｔ）などであり、外部ネットワークたるインターネットと宅内ネットワークを接続している。なお、この種のインターネット接続装置ＭＤは従来周知であるから詳細な構成についての図示および説明は省略する。
また、宅内ネットワークには住宅から離れた遠隔地に設置されたセンタ装置（センタサーバ）ＳＶがインターネットを介して接続されており後述するようにインターネットに接続可能な端末装置（ＰＤＡ（ＰｅｒｓｏｎａｌＤｉｇｉｔａｌ  Ａｓｓｉｓｔａｎｃｅ）や、携帯電話機ＭＰ）とセンタ装置ＳＶとの間でインターネットを介してデータ通信を行うことにより、例えば携帯電話機ＭＰを使って外出先から金庫Ｋを制御することができる。センタ装置ＳＶは、ネットワーク機能を有する汎用のコンピュータ装置で構成されており、携帯電話機ＭＰ等の端末装置からインターネットを通じて送信される金庫Ｋ宛へのメッセージを中継する機能を有している。ただし、上述のようなインターネット接続機能を有する端末装置やセンタ装置ＳＶは従来周知であるから、詳細な構成についての図示および説明は省略する。
サブシステムＳＳは、図１に示すように住宅内における異常発生を検知する複数のセキュリティ機器Ｙ１、Ｙ２と、各セキュリティ機器Ｙ１、Ｙ２の検知情報を収集して解析することにより得た異常検知情報を、宅内ネットワークを介して金庫Ｋに送信するセキュリティコントローラＣとで構成されている。セキュリティ機器Ｙ１は、宅内に多数配置され、例えば人体から放射される熱線を検知することにより領域内の人の存在検知を行うセンサを具備し、センサで人の存在を検知したときに当該検知情報を無線信号（または有線信号）でセキュリティコントローラＣへ送信する機能を有している。また、セキュリティ機器Ｙ２は窓に設置されているクレセント錠の施開錠検知、窓の開閉検知等を行う防犯用のセンサを具備し、センサで異常（クレセント錠の開錠等）を検知したときに当該検知情報を無線信号（または有線信号）でセキュリティコントローラＣへ送信する機能を有している。但し、上述のような機能を備えるセキュリティ機器Ｙ１、Ｙ２については従来周知であるから、詳細な構成についての図示および説明は省略する。
セキュリティコントローラＣは、図２に示すようにマイコンを主構成要素とするセキュリティコントローラ制御部１０と、宅内ネットワークのＬＡＮケーブルが接続されセキュリティコントローラ制御部１０と宅内ネットワークのインタフェースを行うＬＡＮインタフェース部１１と、セキュリティ機器Ｙ１、Ｙ２との間で無線（または有線）によるデータ通信をおこなう通信部１２と、マイコンで実行するプログラムやセキュリティ機器Ｙ１、Ｙ２から収集した検知情報を記憶するメモリ部１３とを備えている。また、図示は省略しているが、商用電源から所望の直流電源を作成してセキュリティコントローラ制御部１０やその他の各部に動作電源を供給するための電源回路も備えている。
セキュリティコントローラ制御部１０は、適宜メモリ部１３から検知情報を取得し、当該検知情報を解析することによって、異常検知判断を行い、異常検知情報を金庫ＫにＬＡＮインタフェース部１１より送信する。ここで、異常検知判断とは例えば、全てのセキュリティ機器Ｙ１から所定期間、検知情報を受信せず宅内が無人と判断された場合や、セキュリティ機器Ｙ２からクレセント錠の開錠を検知する検知情報を得た場合が該当する。
次に、金庫Ｋについて説明する。金庫Ｋは図３に示されるように、マイコンを主構成要素とするマイコン部２０と宅内ネットワークのＬＡＮケーブルが接続されマイコン部２０と宅内ネットワークのインタフェースを行うＬＡＮインタフェース部２１と、押釦スイッチを有して操作入力を受け付ける操作部２２と、金庫に備えられる扉の施錠や、操作部２２に入力されたパスワードに基づいて扉の開錠を行う電気錠と電気錠の駆動回路とを有する電気錠部２３と、マイコンで実行するプログラムや種々のデータを記憶するメモリ部２４と、金庫Ｋが所定位置から移動されたことを検知する移動検知部２５と、を備えている。また、図示は省略しているが、商用の電源から所望の直流電源を作成してマイコン部２０やその他の各部に動作電源を供給するための電源回路も備えている。
メモリ部２４には、電気錠の開錠を行うためのパスワードデータや電気錠の開錠条件を示すデータが複数のセキュリティレベルとして記憶されている。例えばセキュリティレベル「低」の場合は電気錠がパスワードなしで開錠可能であり、セキュリティレベル「中」の場合は電気錠がパスワード認証により認証された場合に開錠され、セキュリティレベル「高」の場合はパスワードが認証させても電気錠が開錠不可であるといった開錠条件を示すデータが記憶されている。また、メモリ部２４には後述のパーソナル・コンピュータＰＣやテレビＴＶにより入力されたデータが宅内ネットワークを通じて受信された場合に当該データを記憶することができるデータ記憶領域が確保されている。
マイコン部２０は、パーソナル・コンピュータＰＣやテレビＴＶからＬＡＮインタフェース部２１を介して受信したデータのメモリ部２４のデータ記憶領域への書き込みや、書き込まれたデータの削除や読み込み等を行う機能と、メモリ部２４から読み出した開錠条件を示すデータ（セキュリティレベル）により電気錠の開錠制御を行う機能とを備えている。
また、マイコン部２０は、パーソナル・コンピュータＰＣやテレビＴＶからのメモリ部２４のデータ記憶領域へのデータの書き込みや、書き込まれたデータの読み込みや削除等を求めるアクセス要求メッセージを、ＬＡＮインタフェース部２１を介して受信した場合に、電気錠の開錠制御と同様にメモリ部２４のデータ記憶領域へのパーソナル・コンピュータＰＣやテレビＴＶによるアクセスをセキュリティレベルに基づいて制御する機能を備える。すなわち、例えばセキュリティレベルが「中」の場合は、マイコン部２０はパーソナル・コンピュータＰＣやテレビＴＶとパスワード認証を行いパスワード認証が完了すれば、メモリ部２４のデータ記憶領域へのアクセスを許可するものである。ここで、メモリ部２４が記憶手段およびデータ記憶手段に該当し、マイコン部２０が電気錠制御手段、データ制御手段および設定手段に該当する。
また、マイコン部２０は移動検知部２５により金庫Ｋが移動されたことによる異常を検知した場合にＬＡＮインタフェース部２１を介してパーソナル・コンピュータＰＣやテレビＴＶに異常検知情報を送信する機能を備える。
テレビＴＶは、全体の制御を行うマイコンと、宅内ネットワークのＬＡＮケーブルが接続されマイコンと宅内ネットワークのインタフェースを行うＬＡＮインタフェースと、スピーカや映像表示用の液晶ディスプレイと、操作入力を受け付ける操作部と、を少なくとも備え、金庫ＫからＬＡＮインタフェースを介して異常検知情報を受信すればスピーカや液晶ディスプレイを用いてその旨を報知する機能と、宅内ネットワークを介して金庫Ｋとパスワード認証する機能と、金庫Ｋのメモリ部２４のデータ記憶領域へのデータの書き込みや、書き込まれたデータの読み込みや削除等を行う機能と、を具備している。なお、この種のテレビＴＶは従来周知であるから詳細な構成についての図示および説明は省略する。
パーソナル・コンピュータＰＣは、全体の制御を行う制御部と、宅内ネットワークのＬＡＮケーブルが接続され制御部と宅内ネットワークのインタフェースを行うＬＡＮインタフェース部と、映像表示用の液晶ディスプレイと、操作入力を受け付けるキーボードと、を少なくとも備え、宅内ネットワーク介して金庫Ｋとパスワード認証する機能と、金庫Ｋのメモリ部２４のデータ記憶領域へのデータの書き込みや、書き込まれたデータの読み込みや削除等を行う機能と、金庫ＫからＬＡＮインタフェースを介して異常検知情報を受信すれば液晶ディスプレイを用いてその旨を報知する機能と、を備えている。
次に本実施形態の金庫管理システムの動作について説明する。
今、金庫Ｋのマイコン部２０が電気錠の開錠やメモリ部２４のデータ記憶領域へのパーソナル・コンピュータＰＣによるアクセスをセキュリティレベル「中」で制御している。パーソナル・コンピュータＰＣが宅内ネットワークを介して金庫Ｋのメモリ部２４のデータ記憶領域に記憶されたデータを読み込む、要求メッセージを金庫Ｋに送信し、金庫Ｋのマイコン部２０とパスワード認証が完了した場合において、金庫Ｋのマイコン部２０は、パーソナル・コンピュータＰＣの要求メッセージに従いメモリ部２４のデータ記憶領域のデータを読み出し、宅内ネットワークを介してパーソナル・コンピュータＰＣへ当該データを送信する。
ここで、セキュリティ機器Ｙ２によりクレセント錠の開錠が検知され当該検知情報が無線信号によりセキュリティコントローラＣへ送信されれば、セキュリティコントローラＣは当該検知情報を取得し、異常検知判断を行い、異常検知情報を金庫Ｋへ送信する。ＬＡＮインタフェース部２１を介してセキュリティコントローラＣから異常検知情報を受信した金庫Ｋのマイコン部２０はメモリ部２４から現状のセキュリティレベルより高いセキュリティレベル「高」を選択し、メモリ部２４のデータ記憶領域へのアクセスを当該セキュリティレベルで制御するとともに、電気錠の開錠制御についても当該セキュリティレベルに基づいて実行する。
ここで、パーソナル・コンピュータＰＣによって、さらに金庫Ｋにメモリ部２４のデータ記憶領域に記憶されたデータの読み込み要求メッセージが送信されると、金庫Ｋのマイコン部２０はパスワードが認証されてもデータへのアクセスを不可としているので、パーソナル・コンピュータＰＣによる、さらなるデータの読み込みが、金庫Ｋのマイコン部２０により禁止され、パーソナル・コンピュータＰＣにおいてデータを閲覧することができない。
また、金庫Ｋの電気錠についても、同様に金庫Ｋのマイコン部２０が開錠を制御しているので、金庫Ｋの操作部２２において、正しいパスワードが入力されても電気錠の開錠制御が行われない。
上述のように、本実施形態によれば、セキュリティコントローラＣがセキュリティ機器Ｙ１、Ｙ２を用いてクレセント錠の開錠や宅内の無人を検知した場合に、異常検知情報を金庫Ｋに送信し、金庫Ｋはこの異常検知情報に基づいてセキュリティレベルを現状のセキュリティレベルより高く変更するので、セキュリティコントローラＣおよびセキュリティ機器Ｙ１、Ｙ２を含めた金庫管理システム全体で、金庫Ｋに備えられた電気錠および金庫Ｋに記憶されたデータのセキュリティ性を高めることができる。なお、上記動作説明ではパーソナル・コンピュータＰＣを用いて説明を行ったが、テレビＴＶを用いても同様の動作を実現することができる。
また、金庫Ｋは移動検知部２５により金庫Ｋの移動を検知した場合は、異常検知情報をテレビＴＶやパーソナル・コンピュータＰＣに送信し、テレビＴＶやパーソナル・コンピュータＰＣは当該異常検知情報を受信して、スピーカや液晶ディスプレイにその旨を表示するので、金庫Ｋに異常が生じた場合に家人に報知することができる。
また、セキュリティレベルは、携帯電話機ＭＰにより変更が可能である。現状のセキュリティレベル「中」を「高」に変更するように携帯電話機ＭＰに備えられた押釦が押下されれば、セキュリティレベル変更要求メッセージが生成され、このメッセージがインターネットを介してセンサ装置ＳＶに送信される。センタ装置ＳＶは携帯電話機ＭＰによる、このメッセージを中継し、金庫Ｋに送信する。金庫Ｋのマイコン部２０はＬＡＮインタフェース部２１を介してこのメッセージを受信し、セキュリティレベルを「中」から「高」へ変更する。したがって、家人がセキュリティレベルの変更を望む場合は、携帯電話機ＭＰを携帯していれば、例えば外出先からでもセキュリティレベルの変更が可能である。
【符号の説明】
【００１７】
Ｃ  セキュリティコントローラ
Ｋ  金庫
ＭＤ  インターネット接続装置
ＭＰ  携帯電話機
ＰＣ  パーソナル・コンピュータ
ＳＳ  サブシステム
ＳＶ  センタ装置
ＴＶ  テレビ
Ｙ１  セキュリティ機器
Ｙ２  セキュリティ機器
１０  セキュリティコントローラ制御部
１１  ＬＡＮインタフェース部
１２  通信部
１３  メモリ部
２０  マイコン部
２１  ＬＡＮインタフェース部
２２  操作部
２３  電気錠部
２４  メモリ部
２５  移動検知部
【図１】
2010196305.tif 000003
【図２】
2010196305.tif 000004
【図３】
2010196305.tif 000005